(57)【要約】  【課題】  回転ブラシが磨耗して外径が小さくなったときの、回転ブラシの軸の位置の調整を確実に行う。  【解決手段】  後端部が後輪軸４の上方の位置に枢支されたアーム７の前端に回転ブラシ８の回転軸９が支持され、回転軸９の端部に固着されたプーリー１１が後輪３の外周面に圧接されて回転ブラシ８が後輪３と反対方向に回転駆動される手動式床掃除機において、後輪３の車軸４上方であって掃除機の筐体１の側面部分に前後方向に長孔５を形成し、長孔５内に締結手段を介して枢軸６を前後動可能に取り付け、枢軸６にアーム７の後端に形成された孔を嵌合してアーム７を枢着し、回転ブラシ８の外径が小さくなるにつれて、前記締結手段を緩めて枢軸６を前方へ移動調整する。【選択図】  図１
0003107358.tif 000002
【実用新案登録請求の範囲】
【請求項１】
後端部が後輪軸の上方の位置に枢支されたアームの前端に回転ブラシの回転軸が支持され、回転軸の端部に固着されたプーリーが後輪の外周面に圧接されて回転ブラシが後輪と反対方向に回転駆動される手動式床掃除機において、
後輪軸の上方であって掃除機の筐体の側面部分に前後方向に長孔を形成し、該長孔内に締結手段を介して枢軸を前後動可能に取り付け、該枢軸にアーム後端に形成された孔を嵌合して前記アームを枢着し、回転ブラシの外径が小さくなるにつれて、前記締結手段を緩めて前記枢軸を前方へ移動調整することを可能にしたことを特徴とする手動式床掃除機。
【請求項２】
請求項１に記載の手動式床掃除機において、
前記締結手段は枢軸の端部に雄ねじおよび該雄ねじよりも大径の頭部を形成し、該雄ねじにナットを螺合してナットと頭部で長孔部分の筐体に挟着したことを特徴とする手動式床掃除機。
【請求項３】
請求項１または２に記載の手動式床掃除機において、
筐体底面の少なくとも前部を除く外周部に床面に略届くゴムシートからなる仕切りを垂設するとともに、筐体内部の回転ブラシの後方位置に筐体天井から床面に略届くゴムシートからなる仕切りを垂設したことを特徴とする手動式床掃除機。
【考案の詳細な説明】
【技術分野】
【０００１】
本考案は、手動式床掃除機に関し、詳しくは手押ししながら回転ブラシを回転させて床面のゴミ等を除去回収する手動式床掃除機に関する。
【背景技術】
【０００２】
従来の手動式床掃除機は、特許文献１に記載の手動式床掃除機のように、後輪の回転をプーリーを介して後輪軸の前方に位置する回転ブラシに伝達し、床面に接する回転ブラシの毛先を車体の前進速度よりも早い速度で前方へ摺動させることで、床面のゴミを掻き上げてダストボックス内に回収していた。この手動式床掃除機の回転ブラシの刷毛部分は、ワイヤを束ねて形成されているが、床面を摺動することで毛先は磨耗し、次第に回転ブラシの外径が小さくなる。それにつれて、回転ブラシの軸も下降させて追随しなければ、ゴミ除去能力が低下することになる。そのため、回転ブラシの軸を下降させて高さを調節する機構が必要であった。通常は、車体の両側面の後輪軸の上方部分に、アームの基端部を枢着し、アームの先端に回転ブラシの軸を支持するようにして、回転ブラシの外径が小さくなると、回転ブラシの自重で回転ブラシの軸が下降するようにしている。
【特許文献１】実公平５−３８１０７号公報
【考案の開示】
【考案が解決しようとする課題】
【０００３】
ところで、回転ブラシの外径が小さくなると、回転ブラシの軸は自重で下降するが、回転ブラシの軸に固着されているプーリーは、常に、後輪の外周に圧接していなければ動力が伝達されない。そこで、回転ブラシが上下動するときの回転ブラシの軸の軌跡は、後輪の軸を中心とした同心円であることが理想である。しかしながら、回転ブラシの軸を支持するアームの基端部は、後輪付近の構造的な制約のため、後輪の軸よりも上方に枢支されている。そのため、回転ブラシの外径が小さくなった場合の、回転ブラシの軸の移動軌跡は、同心円上とならず、満足すべきものではなかった。
【０００４】
また、手動式床掃除機は、通常、乾燥している床面を掃除する場合が多く、回転ブラシにより巻き上げられた埃が、車体から漏れて巻き上がるという問題があった。そこで、本考案は、磨耗して回転ブラシの外径が小さくなったときの回転ブラシ軸の下降位置を最良の位置に調整可能にするとともに、本体からの埃の漏れを少なくした手動式床掃除機を提案することを目的とした。
【課題を解決するための手段】
【０００５】
上記課題を解決するために、本考案は、後端部が後輪軸の上方の位置に枢支されたアームの前端に回転ブラシの回転軸が支持され、回転軸の端部に固着されたプーリーが後輪の外周面に圧接されて回転ブラシが後輪と反対方向に回転駆動される手動式床掃除機において、後輪軸の上方であって掃除機の筐体の側面部分に前後方向に長孔を形成し、該長孔内に締結手段を介して枢軸を前後動可能に取り付け、該枢軸にアーム後端に形成された孔を嵌合して前記アームを枢着し、回転ブラシの外径が小さくなるにつれて、前記締結手段を緩めて前記枢軸を前方へ移動調整することを可能にしたことを特徴とする。
【０００６】
ここで、前記締結手段は枢軸の端部に雄ねじおよび該雄ねじよりも大径の頭部を形成し、該雄ねじにナットを螺合してナットと頭部で長孔部分の筐体に挟着することも可能である。また、前記手動式床掃除機において、筐体底面の少なくとも前部を除く外周部に床面に略届くゴムシートからなる仕切りを垂設するとともに、筐体内部の回転ブラシの後方位置に筐体天井から床面に略届くゴムシートからなる仕切りを垂設することが好ましい。
【考案の効果】
【０００７】
以上述べたように本考案によれば、回転ブラシを支えるアーム後端の枢軸を長孔内に締結して前後動可能にしたことで、回転ブラシの外径が小さくなるにつれて、枢軸を前方へ移動して回転ブラシの回転軸を最適位置に調整可能となり、手動式床掃除機の性能が良好な状態に維持される。また、筐体底面の外周部に床面に略届くゴムシートからなる仕切りを垂設するとともに、筐体内部の回転ブラシの後方位置に筐体天井から床面に略届くゴムシートからなる仕切りを垂設したことで、埃の発生が少なくなる。
【考案を実施するための最良の形態】
【０００８】
以下、図に基づいて本考案の実施形態を説明する。
図１は本考案に係る手動式床掃除機の側面図であり、図２は図１の右手前部分の断面図である。図示されるように、下面が開放された筐体１の前部に前輪２が配設され、筐体１の後部外側の左右に後輪３が配設されている。左右の後輪３は車軸４により連結されている。筐体１の左右側面の車軸４の上方には、前後方向に長孔５が穿設されて、枢軸６が前後方向に調整自在にねじ止めされている。枢軸６の内側部分には、アーム７の後端が枢支されている。
【０００９】
アーム７は前端を斜め下方向にして保持されて、アーム７の前端には、回転ブラシ８の軸９の両端が軸支されている。軸９の両端は、筐体１を貫通して、筐体１の外側に突出し、その端部にプーリー１１が固着されている。プーリー１１は、後輪３に圧接されており、筐体１が前進して、後輪３が回転すると、後輪３と反対方向に回転駆動される。回転ブラシ８は自重で下降して、先端の毛先が床面１２に当接されている。この状態で、筐体１の後頂部に突設されているハンドル１３が前方へ押されて、筐体１が前進して、後輪３が反時計方向に回転すると、プーリー１１は時計方向に回転し、回転ブラシ８の毛先は、床面１２を、筐体１の前進方向に、筐体１の前進速度よりも速い速度で掃くことになる。
【００１０】
それにより、床面１２に落ちているゴミは、回転ブラシ８により掃き上げられて、回転ブラシ８の前方に斜めに配設されている掬い板１４上を押し上げられて、その前方に配設されているダストボックス１５内に送られる。ダストボックス１５は、着脱自在に、筐体１に装着されているので、ダストボックス１５内にゴミが溜まると、ハンドル１６を持ち上げて、ダストボックス１５を取り外して、ゴミを廃棄することができる。
【００１１】
なお、筐体１の底面の外周部の前部を除く両側と後部には、ゴムシートからなる仕切り１７が略床面まで垂設されて、回転ブラシ８により巻き上げられた埃が外側へ流出することを防いでいる。また、本考案では、さらに、筐体１の内部天井の最後部近くに、ゴムシートからなる仕切り１８が略床面まで垂設されて、後方への埃の流出を二重に阻止している。また、プーリー１１と後輪３の前の部分は、カバー１９により覆われている。
【００１２】
次に、本考案の特徴であるところのアーム７の枢軸６を前後に移動調節する機構について説明する。図３は図２の枢軸６の部分を拡大して示した断面図であり、図４は図３を外側（図では下方）から見た図であり、図５は図３のＡ−Ａ線の断面図である。図示されるように、筐体１には、前後方向の長孔５が形成され、その筐体１の内側面に長孔５を囲むように、回り止め用の枠２１が溶接により取り付けられている。また、枢軸６は、外側の端部に六角穴を有する頭部６ａが形成され、その内側の中間部に雄ねじ部６ｂが形成され、反対の端部側には、雄ねじ部６ｂよりも一段小径のピン部６ｃが形成されている。
【００１３】
枢軸６を装着する場合は、雄ねじ部６ｂに平ワッシャ２２を通してから、ピン部６ｃを長孔５に挿通する。このとき、反対側の枠２１内には、ナット２３を嵌め込んでおき、ナット２３にピン部６ｃを通過させ、さらに雄ねじ部６ｂを螺合させる。枠２１の内側の高さ方向の間隔は、ナット２３の対辺長さに略等しく、ナット２３は枠２１内で回らないように保持されている。次に、頭部６ａの六角穴にスパナを嵌め込み、枢軸６を時計方向に回して、ナット２３と頭部６ａとで、長孔５の部分を挟圧して、枢軸６を固定する。
【００１４】
次に、ピン部６ｃをアーム７の後端部の孔に嵌合して、アーム７を枢軸６に枢着する。なお、長孔５内での枢軸６の位置は、最初、回転ブラシ８が新しく、毛先が磨耗していない状態では、回転ブラシ８の外径が大きいので、枢軸６を長孔５の後方位置に保持しておく。次いで、回転ブラシ８の毛先が磨耗して、外径が小さくなるにつれて、雄ねじ部６ｂとナット２３を緩めて、枢軸６を前方へ移動して再度締め直す。この枢軸６およびアーム７は、筐体１の反対側の側面にも同様に設けられているので、両方の枢軸６の移動量を同じにする。また、図示していないが、ピン部６ｃの先端には、止め輪や割りピン等を装着して、アーム７が抜けないようにすることが好ましい。
【００１５】
図示例では、枢軸６の締結手段として、雄ねじ部６ｂとナット２３を用いて長孔５を両側から挟圧する構造としたが、同様に、長孔５の部分で、枢軸６を移動可能に締結できるのであれば、他のねじを用いた締結機構にすることも可能である。
【産業上の利用可能性】
【００１６】
本考案は、回転ブラシを用いた手動式床掃除機以外には、同様に回転ブラシを備え動力によって作動する床掃除機についても利用可能である。
円筒状の作動体が
【図面の簡単な説明】
【００１７】
【図１】本考案に係る手動式床掃除機の側面図である。
【図２】図１の右手前部分の断面図である。
【図３】図２の枢軸６の部分を拡大して示した断面図である。
【図４】図３を外側から見た外観図である。
【図５】図３のＡ−Ａ線の断面図である。
【符号の説明】
【００１８】
１  筐体
２  前輪
３  後輪
４  車軸
５  長孔
６  枢軸
６ａ  頭部
６ｂ  雄ねじ部
６ｃ  ピン部
７  アーム
８  回転ブラシ
９  軸
１１  プーリー
１２  床面
１３  ハンドル
１４  掬い板
１５  ダストボックス
１６  ハンドル
１７，１８  仕切り
１９  カバー
２１  枠
２２  平ワッシャ
２３  ナット
【図１】
0003107358.tif 000003
【図２】
0003107358.tif 000004
【図３】
0003107358.tif 000005
【図４】
0003107358.tif 000006
【図５】
0003107358.tif 000007